(57)【要約】【課題】  構造が簡単で全体の重量を軽減することができるとともに、広い設置スペースを必要とすることなく容易に設置することができる遮光スクリーン装置を提供する。【解決手段】  遮光スクリーンプレート１４と、この遮光スクリーンプレート１４をその両側から昇降可能に案内する案内枠１３と、遮光スクリーンプレート１４を任意の昇降位置で保持するための保持機構２１とを設ける。両案内枠１３は遮光スクリーンプレート１４の昇降範囲のうちで下降位置付近をカバーできる程度の長さに設定する。保持機構２１は遮光スクリーンプレート１４の下端両側と案内枠１３との間に配設する。【選択図】      図１
2005188208.tif 000002
【特許請求の範囲】
【請求項１】
遮光スクリーンプレートと、この遮光スクリーンプレートをその両側から昇降可能に案内する案内枠と、遮光スクリーンプレートを任意の昇降位置で保持するための保持手段とを備えた遮光スクリーン装置において、
前記両案内枠は遮光スクリーンプレートの昇降範囲のうちで下降位置付近をカバーできる程度の長さに設定し、前記保持手段は遮光スクリーンプレートの下端両側と案内枠との間に設けたことを特徴とする遮光スクリーン装置。
【請求項２】
前記遮光スクリーンプレートは、難燃性を有する一対の透明または半透明の合成樹脂シート間に、装飾シートを挟着してなることを特徴とする請求項１に記載の遮光スクリーン装置。
【発明の詳細な説明】
【技術分野】
【０００１】
この発明は、例えば列車等の車両の窓に装設される遮光スクリーン装置に関するものである。
【背景技術】
【０００２】
従来のこの種の遮光スクリーン装置としては、例えば特許文献１及び特許文献２に開示されるような構成のものが知られている。
特許文献１に記載の構成では、一対の案内枠が所定間隔をおいて湾曲状に延長配置され、その案内枠間に遮光スクリーンプレートがスライド可能に支持されている。そして、遮光スクリーンプレートが湾曲状の案内枠間にて曲げられることにより、遮光スクリーンプレートの両端縁と両案内枠との間に適度の摩擦が生じて、遮光スクリーンプレートが任意の昇降位置にて静止保持されるようになっている。
【０００３】
また、特許文献２に記載の構成では、一対の案内枠が所定間隔をおいて上下方向へ平行に延長配置され、その案内枠間に遮光スクリーンプレートがスライド可能に支持されている。また、遮光スクリーンプレートの両側には弾性を有する制動片が取り付けられ、これらの制動片が案内枠の内面に圧接することにより、遮光スクリーンプレートが任意の昇降位置にて静止保持されるようになっている。
【０００４】
さらに、その他の遮光スクリーン装置としては、例えば上部に巻き上げ機構が設けられ、可撓性を有する遮光スクリーンが巻き上げ機構内の収納位置から、巻き上げ機構の下方の使用位置に引き出し可能に構成されたものも知られている。
【特許文献１】特開２００３−５４２５３号公報
【特許文献２】実用新案登録第３０８８３３８号公報
【発明の開示】
【発明が解決しようとする課題】
【０００５】
ところが、前記のような従来の遮光スクリーン装置においては、次のような問題があった。
すなわち、特許文献１及び特許文献２の構成では、両案内枠が遮光スクリーンプレートの昇降範囲の全域をカバーできるように、上下方向へ長く延長配置されている。このため、遮光スクリーン装置全体が大型で大重量になるとともに、広い設置スペースが必要になるという問題があった。
【０００６】
また、巻き上げ機構を備えた従来構成では、装置全体の構造が複雑で大重量になるという問題があった。
この発明は、このような従来の技術に存在する問題点に着目してなされたものである。その目的は、構造が簡単で全体の重量を軽減することができるとともに、広い設置スペースを必要とすることなく容易に設置することができる遮光スクリーン装置を提供することにある。
【課題を解決するための手段】
【０００７】
上記の目的を達成するために、請求項１に記載の発明は、遮光スクリーンプレートと、この遮光スクリーンプレートをその両側から昇降可能に案内する案内枠と、遮光スクリーンプレートを任意の昇降位置で保持するための保持手段とを備えた遮光スクリーン装置において、前記両案内枠は遮光スクリーンプレートの昇降範囲のうちで下降位置付近をカバーできる程度の長さに設定し、前記保持手段は遮光スクリーンプレートの下端両側と案内枠との間に設けたことを特徴とするものである。
【０００８】
請求項２に記載の発明は、請求項１に記載の発明において、前記遮光スクリーンプレートは、難燃性を有する一対の透明または半透明の合成樹脂シート間に、装飾シートを挟着してなることを特徴とするものである。
【０００９】
（作用）
請求項１に記載の発明においては、両案内枠が遮光スクリーンプレートの昇降範囲の全域に亘って長く延長されることなく、遮光スクリーンプレートの下降位置付近をカバーできる程度の長さに設定されているため、構造が簡単で全体の重量を軽減することができる。また、両案内枠の長さが短いため、列車等の車両の窓に遮光スクリーン装置を組み付ける場合、広い設置スペースを必要とすることなく容易に設置することができる。
【００１０】
請求項２に記載の発明においては、１枚の遮光スクリーンプレートに遮光性及び難燃性を持たせることができて、利便性及び安全性を向上させることができる。
【発明の効果】
【００１１】
以上のように、この発明によれば、遮光スクリーン装置の構造が簡単で全体の重量を軽減することができるとともに、広い設置スペースを必要とすることなく容易に設置することができる。
【発明を実施するための最良の形態】
【００１２】
以下に、この発明の一実施形態を、図面に基づいて説明する。
図１及び図２に示すように、列車等の車両の窓１１には遮光スクリーン装置１２が装設されている。この遮光スクリーン装置１２は、窓１１の両側に上下方向へ平行に延びるように配設された一対の案内枠１３と、両案内枠１３間に昇降可能に支持された遮光スクリーンプレート１４とから構成されている。そして、この遮光スクリーンプレート１４を案内枠１３に沿って、図１及び図２に鎖線で示す上昇位置から実線で示す下降位置に引き下げることにより、窓１１から光が直接差し込むのを遮断できるようなっている。
【００１３】
図１及び図２に示すように、前記両案内枠１３の長さは、遮光スクリーンプレート１４の昇降範囲のうちで、下降位置付近をカバーできる程度の長さとなるように設定されている。また、図４及び図７に示すように、両案内枠１３は互いに対向する内側に向かって開口したチャンネル状に形成され、それらの開口縁の両側には一対の挟持用の突条１３ａが形成されている。
【００１４】
図１〜図４に示すように、前記遮光スクリーンプレート１４は、一対の透明または半透明の合成樹脂シート１５間に、装飾シート１６を加熱圧着等により挟着して構成され、自立できる程度の腰の強さを有している。合成樹脂シート１５としては、難燃性及び自己消火性を有するポリカーボネイト等が使用され、それらの少なくとも外側面にはマット加工（艶消し加工）が施されている。また、装飾シート１６としては、難燃性を有するポリエステル糸、ナイロン糸等の合成繊維により、光透過部を有するように、例えばジャカード織りされた織布またはラッセル編みされた編物が使用されている。前記光透過部は、織布または編物の模様を構成する透孔により形成されている。これにより、遮光スクリーンプレート１４の全体として、難燃性及び自己消火性を保有するとともに、適度の遮光性を保有するように構成されている。
【００１５】
前記遮光スクリーンプレート１４の上端縁及び左右両側縁には、補強トリム１７が嵌着されている。これらの補強トリム１７は、耐熱性及び自己消化性を有するＡＢＳ樹脂等により形成され、その内部にはピアノ線等よりなる補強芯１８が埋設されている。遮光スクリーンプレート１４の下端縁には、補強枠材１９が抜け止め部材２０を介して嵌着されている。この補強枠材１９は、前記補強トリム１７と同様に耐熱性及び自己消化性を有するＡＢＳ樹脂等により形成され、その室内側の面には昇降操作用の把手部１９ａが突設されている。
【００１６】
図５〜図７に示すように、前記遮光スクリーンプレート１４の下端両側と両案内枠１３との間には、遮光スクリーンプレート１４を任意の昇降位置で静止保持するための保持手段としての保持機構２１が設けられている。すなわち、前記補強枠材１９の両端には軸受部材を兼用する固定挟持部材２２がネジ２３により固定され、それらの外面には一対の係合片２２ａが突設されている。補強枠材１９内において、両固定挟持部材２２には回転軸２４が回転可能及び軸線方向へ移動可能に挿通支持されている。この回転軸２４は、中間のパイプ部２５と、両端の軸部２６とに３分割して構成されている。そして、両端の軸部２６が、断面ほぼＤカット状の連結部２６ａを介してパイプ部２５の両端に一体回転可能及び軸線方向へ相対移動可能に連結されている。
【００１７】
前記各案内枠１３の突条１３ａを挟んで固定挟持部材２２と反対側に位置するように、回転軸２４の両軸部２６の外端付近には可動挟持部材２７が相対回転可能に挿通支持されている。各可動挟持部材２７の周面には一対の係合溝２７ａが形成され、これらの係合溝２７ａが固定挟持部材２２の係合片２２ａに摺動可能に係合されることにより、可動挟持部材２７の回転が規制されるようになっている。各可動挟持部材２７と両軸部２６の外端に取り付けられた後述するピニオン３３との間にはスペーサ２８が介装されている。
【００１８】
前記回転軸２４の両軸部２６の内端部には、バネ座２９がストップリング３０を介してそれぞれ止着されている。各バネ座２９と各固定挟持部材２２との間にはバネ３１が介装され、このバネ３１により両軸部２６が中間のパイプ部２５側に向かって移動付勢されている。そして、このバネ３１による軸部２６の移動付勢に基づいて、ピニオン３３及びスペーサを介して可動挟持部材２７が固定挟持部材２２側に移動付勢され、案内枠１３の突条１３ａが両挟持部材２２，２７間で挟持されて、遮光スクリーンプレート１４が任意の昇降位置で静止保持されるようになっている。
【００１９】
図３〜図５及び図７に示すように、遮光スクリーンプレート１４の下端両側と両案内枠１３との間には、遮光スクリーンプレート１４が両案内枠１３間で傾斜状態にて昇降されるのを阻止するための傾斜阻止手段としての傾斜阻止機構３２が設けられている。すなわち、前記回転軸２４の両軸部２６の外端にはピニオン３３がそれぞれ取り付けられている。これらのピニオン３３と噛合するように、両案内枠１３の内部にはラック３４が長手方向の全長に亘って配設されている。そして、遮光スクリーンプレート１４が両案内枠１３間で昇降されるとき、両ピニオン３３がラック３４との噛合により回転される。このとき、回転軸２４の両軸部２６がパイプ部２５を介して一体回転可能に連結されているため、各ピニオン３３の単独の回転が阻止され、これにより遮光スクリーンプレート１４が傾斜状態になることなく、ほぼ水平状態を維持しながら昇降されるようになっている。
【００２０】
次に、前記のように構成された遮光スクリーン装置１２の作用を説明する。
さて、通常は図１及び図２に鎖線で示すように、遮光スクリーンプレート１４が両案内枠１３間において上昇位置に移動配置され、車両の窓１１が遮光状態から開放された状態にある。この状態では、遮光スクリーンプレート１４の下端両側に設けられた保持機構２１の両挟持部材２２，２７が両案内枠１３の上端付近に位置して、バネ３１の付勢力により、両挟持部材２２，２７間で案内枠１３の突条１３ａが挟持されている。このため、遮光スクリーンプレート１４は上昇位置において下降することなく静止状態に保持されている。
【００２１】
この状態で、遮光スクリーンプレート１４を使用する場合には、補強枠材１９の把手部１９ａを引き下げると、遮光スクリーンプレート１４が両案内枠１３間において下降されて、窓１１が閉じられる。このとき、遮光スクリーンプレート１４の下端両側のピニオン３３がラック３４との噛合により、回転軸２４を介して一体回転されるため、遮光スクリーンプレート１４を傾斜状態になることなく、所定の状態を維持したまま円滑に下降させることができる。
【００２２】
このように、遮光スクリーンプレート１４を所望の高さ位置まで下降させた状態で、把手部１９ａに対する引き下げ操作を解放する。この場合、バネ３１の付勢力により、両挟持部材２２，２７間で案内枠１３の突条１３ａの挟持状態が維持されている。これにより、遮光スクリーンプレート１４が所望の高さ位置に静止保持される。よって、この状態で遮光スクリーンプレート１４を任意の高さに保持することができ、遮光スクリーンプレート１４により、窓１１から光が差し込むのを適度に遮断することができる。
【００２３】
さらに、遮光を開放するために、遮光スクリーンプレート１４が不要になった場合には、把手部１９ａを引き上げると、遮光スクリーンプレート１４が両案内枠１３間において上昇されて、窓１１が開放される。この遮光スクリーンプレート１４の上昇時においても、前述した下降時と同様に、両ピニオン３３がラック３４との噛合により、回転軸２４を介して一体回転されるため、遮光スクリーンプレート１４を傾斜状態になることなく、所定の状態を維持したまま円滑に上昇させることができる。
【００２４】
そして、遮光スクリーンプレート１４は、２枚の合成樹脂シートに適度の腰の強さを有しているため、昇降時及び静止時において、ほとんど曲がることなく自立平面状態を維持し、良好な外観を保つことができる。
【００２５】
従って、この実施形態によれば、以下のような効果を得ることができる。
（Ａ）  この遮光スクリーン装置１２においては、一対の案内枠１３間に遮光スクリーンプレート１４が昇降可能に案内支持されている。両案内枠１３は、遮光スクリーンプレート１４の昇降範囲のうちで下降位置付近をカバーできる程度の長さとなるように設定されている。遮光スクリーンプレート１４の下端両側と案内枠１３との間には、挟持部材２７及びそれを案内枠１３に対する挟持位置に向かって付勢するためのバネ３１を含む保持機構２１が設けられ、この保持機構２１により遮光スクリーンプレート１４が任意の昇降位置で静止保持されるようになっている。
【００２６】
このため、両案内枠１３の長さが短くなって、構造を簡素化することができるとともに、装置全体の重量を軽減することができる。また、装置を列車等の車両の窓１１に組み付ける場合、広い設置スペースを必要とすることなく容易に設置することができるとともに、遮光スクリーンプレート１４の昇降範囲内のいずれの位置においても、保持機構２１により遮光スクリーンプレート１４を確実に静止保持することができる。
【００２７】
（Ｂ）  この遮光スクリーン装置１２においては、前記遮光スクリーンプレート１４が、難燃性及び自己消火性を有するポリカーボネイトよりなる一対の透明または半透明の合成樹脂シート１５間に、光透過部を有する織布または編物よりなる装飾シート１６を挟着して構成されている。このため、１枚の遮光スクリーンプレート１４に適度の遮光性と装飾性を持たせることができるとともに、難燃性及び自己消火性を持たせることができて、利便性及び安全性を向上させることができる。
【００２８】
（Ｃ）  この遮光スクリーン装置１２においては、遮光スクリーンプレート１４が合成樹脂シート１５間に光透過部を有する織布または編物よりなる装飾シート１６を挟着して構成されている。このため、装飾性に優れるばかりでなく、自立かつ直立状態を維持するため、前述した従来構成とは異なり、巻き上げ機構が不要になり、構成が簡単で、軽量化を達成できる。
【００２９】
（Ｄ）  この遮光スクリーン装置１２においては、前記遮光スクリーンプレート１４の下端両側と案内枠１３との間に、遮光スクリーンプレート１４が傾斜状態にて昇降されるのを阻止するための、ピニオン３３及びラック３４を含む傾斜阻止機構３２が設けられている。このため、遮光スクリーンプレート１４を案内枠１３間において傾斜状態になることなく、ほぼ水平状態を維持させながら円滑に昇降させることができる。
【００３０】
（変更例）
なお、この実施形態は、次のように変更して具体化することも可能である。
・  前記実施形態において、保持機構２１として、例えば遮光スクリーンプレート１４の下端両側に板バネを設けて、この板バネを両案内枠１３の一部に弾性接触させるようにする等の他の構成を採用すること。
【００３１】
・  前記実施形態において、傾斜阻止機構３２を保持機構２１と独立して構成し、例えば回転軸２４を３分割することなく１本の軸で形成して、その回転軸２４の両端にピニオン３３を取り付けること。
【００３２】
・  図２に示すように、案内枠１３の直上位置に、遮光スクリーンプレート１４を挟み込んで、その遮光スクリーンプレート１４を昇降案内及び保持するためのフェルト等の柔軟性と、低摩擦性とを有する案内部材３５を設けること。このようにすれば、遮光スクリーンプレート１４の振動を低減でき、その振動に起因する異音を抑制できる。
【００３３】
（別の技術的思想）
さらに、上記実施形態により把握される請求項以外の技術的思想について、以下にそれらの効果とともに記載する。
【００３４】
（１）  前記合成樹脂シートは、自己消火性を有することを特徴とする請求項２に記載の遮光スクリーン装置。
この構成によれば、遮光スクリーンプレートに自己消化性を持たせることができて、安全性を一層向上させることができる。
【００３５】
（２）  前記合成樹脂シートは、ポリカーボネイトであることを特徴とする請求項２または前記（１）項のうちのいずれか一項に記載の遮光スクリーン装置。
この構成によれば、１つの材料で難燃性及び自己消火性を持たせることができる。
【００３６】
（３）  前記合成樹脂シートの少なくとも一側面にはマット加工が施されていることを特徴とする請求項２または前記（１），（２）項のうちのいずれか一項に記載の遮光スクリーン装置。
【００３７】
この構成によれば、遮光スクリーンプレートに適度の遮光性を持たせることができる。
（４）  前記装飾シートは、光透過部を有する織布または編物よりなることを特徴とする請求項２または前記（１）〜（３）項のうちのいずれか一項に記載の遮光スクリーン装置。
【００３８】
この構成によれば、遮光スクリーンプレートに適度の遮光性を持たせることができるとともに、装飾効果を高めることができる。
（５）  前記遮光スクリーンプレートが案内枠間で傾斜状態にて昇降されるのを阻止するための傾斜阻止手段を設けたことを特徴とする請求項１、請求項２または前記（１）〜（４）項のうちのいずれか一項に記載の遮光スクリーン装置。
【００３９】
この構成によれば、遮光スクリーンプレートを案内枠間において傾斜状態になることなく、ほぼ水平状態に維持しながら円滑に昇降させることができる。
（６）  前記保持手段が、バネの付勢力により案内枠の一部を挟持する挟持部材からなることを特徴とする請求項１、請求項２または前記（１）〜（５）項のうちのいずれか一項に記載の遮光スクリーン装置。
【００４０】
この構成によれば、挟持部材にて案内枠の一部が挟持されることにより、遮光スクリーンプレートを任意の昇降位置にて確実に静止保持することができる。
（７）  難燃性を有する一対の透明または半透明の合成樹脂シート間に、装飾シートを挟着してなることを特徴とする遮光スクリーンプレート。
【００４１】
このような遮光スクリーンプレートは前述した効果を有する。
【図面の簡単な説明】
【００４２】
【図１】一実施形態の遮光スクリーン装置を示す断面図。
【図２】図１の２−２線における断面図。
【図３】図１の３−３線における要部拡大断面図。
【図４】図１の４−４線における要部拡大断面図。
【図５】図１の遮光スクリーン装置の一部を拡大して示す要部断面図。
【図６】図５の６−６線における要部断面図。
【図７】図５の７−７線における要部断面図。
【符号の説明】
【００４３】
１１…窓、１２…遮光スクリーン装置、１３…案内枠、１３ａ…突条、１４…遮光スクリーンプレート、１５…合成樹脂シート、１６…装飾シート、１９…補強枠材、２１…保持手段としての保持機構、２２…固定挟持部材、２４…回転軸、２５…パイプ部、２６…軸部、２７…可動挟持部材、３１…バネ、３２…傾斜阻止手段としての傾斜阻止機構、３３…ピニオン、３４…ラック。
【図１】
2005188208.tif 000003
【図２】
2005188208.tif 000004
【図３】
2005188208.tif 000005
【図４】
2005188208.tif 000006
【図５】
2005188208.tif 000007
【図６】
2005188208.tif 000008
【図７】
2005188208.tif 000009